(57)【要約】【課題】ラックが配置される施設の天井に設置された機器の点検・保守作業性にすぐれ、かつ天井パネルの保守性に優れたラック間通路遮へい構造に関する技術を提供すること。【解決手段】複数のラック１からなるラック列を対向配置し、該ラック列間に形成されるラック間通路に、天井部２と入口扉部４と該入口扉部に対応する位置に配置された背面部を設けて形成されたラック間通路遮へい構造であって、該入口扉部４は、扉の外枠を形成する外枠フレーム５と、該外枠フレーム間の対向位置に架橋された中間フレーム６と、扉パネルユニットから構成され、該扉パネルユニットを構成する各扉パネルユニット部材７は、その少なくとも一辺を中間フレーム６によって分割される。【選択図】図１
2010168768.tif 000002
【特許請求の範囲】
【請求項１】
複数のラックからなるラック列を対向配置し、該ラック列間に形成されるラック間通路に、天井部と入口扉部と該入口扉部に対応する位置に配置された背面部を設けて形成されたラック間通路遮へい構造であって、
該入口扉部は、扉の外枠を形成する外枠フレームと、該外枠フレーム間の対向位置に、着脱可能に架橋された中間フレームと、扉パネルユニットから構成され、
該扉パネルユニットを構成する各扉パネルユニット部材は、その少なくとも一辺を中間フレームによって分割されることを特徴とするラック間通路遮へい構造。
【請求項２】
複数の中間フレームが架橋されていることを特徴とする請求項１記載のラック間通路遮へい構造。
【発明の詳細な説明】
【技術分野】
【０００１】
本発明は複数のラックをラック列として対向配置し、該ラック列間に設けられた空間を閉空間とする天井部と入口扉部と該入口扉部に対応する位置に配置された背面部を有するラック間通路遮へい構造に関するものである。
【背景技術】
【０００２】
近年、企業のＩＴ利用の急激な増加に伴って、ＩＴの電力問題が顕在化している。特に、サーバールーム・データセンターの熱対策に伴う電力消費量が深刻化しつつある。データセンター全体の電力コストの内訳を見ると、サーバーを冷却するための空調コストが、ＩＴ機器の電力コストと同じくらいの比率を占めている。すなわち、ＩＴの電力問題解消のためには、サーバー自体の省電力化と共に、空調効率の改善が求められている。
【０００３】
サーバーの冷却効率を向上する技術としては、例えば、図６に示すように、複数のラック１を、冷却空気吸入口が対峙するように向かい合わせ２列に配置し、更に当該ラック列間に形成される空間の上部に天井部を設け、空間の前面および背面に扉や壁を設け、対面したラック列間に密閉空間を形成し、さらに床部３に設けた冷気吹き出し口から冷気を吹き出す構造が知られている（特許文献１）。当該密閉空間の出入口として、少なくとも空間の前面部は扉部４として構成されている。従来、該扉部４には、一枚構成からなる部材、特に透明部材を配置して良好な視認性を確保することが一般的であった。
【０００４】
しかし、実際には該扉部に関して、顧客ごとに様々な需要があり、例えば、良好な視認性は確保しつつ扉に電子錠を取り付けたい、サーバー増強等の搬入作業時に台車が接触しやすい下部をアルミ製としたい、等々の要望がある。これらの要望にそれぞれ個別に対応して扉部を作製することは、手間であり、コスト面からも好ましくない、という問題があった。
【先行技術文献】
【特許文献】
【０００５】
【特許文献１】特開２００４−１８４０７０号公報
【発明の概要】
【発明が解決しようとする課題】
【０００６】
本発明の目的は前記問題を解決し、上記ラック間通路遮へい構造の入口扉部に関する顧客ごとの様々な需要に対し、低コストかつ容易に対応可能とする技術を提供することである。
【課題を解決するための手段】
【０００７】
上記課題を解決するためになされた本発明のラック間通路遮へい構造は、複数のラックからなるラック列を対向配置し、該ラック列間に形成されるラック間通路に、天井部と入口扉部と該入口扉部に対応する位置に配置された背面部を設けて形成されたラック間通路遮へい構造であって、該入口扉部は、扉の外枠を形成する外枠フレームと、該外枠フレーム間の対向位置に、着脱可能に架橋された中間フレームと、扉パネルユニットから構成され、該扉パネルユニットを構成する各扉パネルユニット部材は、その少なくとも一辺を中間フレームによって分割されることを特徴とするものである。
【０００８】
請求項２記載の発明は、請求項１記載のラック間通路遮へい構造において、複数の中間フレームが架橋されていることを特徴とするものである。
【発明の効果】
【０００９】
本発明のラック間通路遮へい構造では、入口扉部を、扉の外枠を形成する外枠フレームと、該外枠フレーム間の対向位置に、着脱可能に架橋された中間フレームと、扉パネルユニットから構成し、該扉パネルユニットを構成する各扉パネルユニット部材は、その少なくとも一辺を中間フレームによって分割される構造とした。該構造によれば、予め汎用品として製造された外枠フレームと中間フレームと各種材質の扉パネルユニット部分との適宜な組み合わせにより、入口扉部に関する様々な需要に対し、低コストかつ容易に対応することができる。また、中間フレームを着脱可能な構造としたことにより、扉部設置後に新たな需要が生じた場合にも、扉部の構成を容易に変更することができる。
【００１０】
請求項２記載の発明によれば、外枠フレームに複数の中間フレームを架橋したフレーム内に、該扉パネルユニットを組み込むことにより、顧客の需要に細かくセミオーダーメイド・レベルの対応が可能となる。
【図面の簡単な説明】
【００１１】
【図１】本発明の実施形態１の全体説明図である。
【図２】本発明の実施形態２の全体説明図である。
【図３】本発明の実施形態３の全体説明図である。
【図４】本発明の実施形態２の扉部の断面を示す斜視図である。
【図５】図４の拡大斜視図である。
【図６】従来技術の説明図である。
【発明を実施するための形態】
【００１２】
以下に本発明の好ましい実施形態を示す。
図１〜３は、各々実施形態１〜３の全体説明図を示し、図１〜３において、１はラック、２天井部、４は入口扉部、５は外枠フレーム、６は中間フレーム、７は扉パネルユニット部材であり、入口扉部４が閉じた状態を示している。また、入口扉部４に対応する位置に配置された図示しない背面部は入口と同様に扉部を備えたものとしてもよいし、扉を有しない壁面としてもよい。
【００１３】
（実施形態１）
実施形態１では、外枠フレーム５の幅方向に渡って、１本の中間フレーム６が架橋されている。中間フレーム６の固定手段は、特に限定されないが、例えば外枠フレームに所定間隔のピッチで形成されたねじ穴にねじ固定する方法や、ワンタッチ固定具で固定する方法がある。該中間フレーム６は、着脱可能な構造を有している。これにより、扉部設置後に新たな需要が生じた場合にも、扉部の構成を容易に変更することを可能としている。
【００１４】
扉パネルユニット部材７には、透明パネルやアルミパネルが採用されるが、この他にも、難燃パネルや不燃パネル、意匠性をもったパネルとしてもよい。扉パネルユニット部材７は、外枠フレーム５に中間フレーム６を架橋して形成されるパネル取り付け枠に取り付け可能なサイズに予め加工されている。
【００１５】
パネルの取り付け構造は、着脱可能な構造を有しており、当該構造により、事後的な機能追加や扉パネル交換の需要が生じた場合であっても、該当部分のパネル部材だけを簡単な作業で交換することができる。
【００１６】
図１に示す実施形態１では、外枠フレーム５の下部１／３付近で、幅方向に渡って中間フレーム６を架橋し、外枠フレーム５を上部・下部に２分割している。本実施形態では、上部の扉パネルユニット部材７として透明パネルを採用し、下部の扉パネルユニット部材７としてアルミパネルを採用している。このように、扉パネルユニット部材7は、その少なくとも一辺を中間フレームによって分割して支持される。例えば、扉部４の下部１／３をアルミ部材とすることにより、サーバー増強作業時に機器搬入用台車が該扉部４に衝突したとしても、扉パネル損傷の問題を防止することができる。
【００１７】
（実施形態２）
図２に示す実施形態２では、外枠フレーム５の上部１／３と下部１／３付近に中間フレーム６を２本架橋し、外枠フレーム５を上部・中部・下部に３分割している。本実施形態では、上部と下部の扉パネルユニット部材７として透明パネルを採用し、中部の扉パネルユニット部材７としてアルミパネルを採用している。例えば、中部の扉パネルユニット部材７の表面側に電子錠のテンキー装置を取り付け、外枠フレーム内部に鎖錠装置のラッチを埋設する。このように、扉部４の中部を非透明な鋼材である鉄、アルミ等の鋼材とすることにより、当該部分に電子錠等を取り付けた際に取付箇所や構造物や配線がわからないので、有効なセキュリティー対策とすることができる。図４は扉部４の断面を示す斜視図であり、図５は図４の拡大斜視図である。このように扉パネルユニット部材７は、その少なくとも一辺を中間フレーム６によって分割して支持されるものである。なお、前記説明では扉部４の中部の非透明な鋼材に取り付けた構造物を電子錠で説明したが機械式錠でもよく、錠装置に限らず、表示装置や操作装置などのようなものでもよい。
【００１８】
（実施形態３）
その他、図３に示す実施形態３のように、外枠フレーム５の長手方向に渡って、１本の中間フレーム６が架橋し、外枠フレーム５を左右に２分割することも可能である。
【符号の説明】
【００１９】
１ラック  
２天井部  
３床部  
４扉部  
５外枠フレーム  
６中間フレーム  
７扉パネルユニット部材
【図１】
2010168768.tif 000003
【図２】
2010168768.tif 000004
【図３】
2010168768.tif 000005
【図４】
2010168768.tif 000006
【図５】
2010168768.tif 000007
【図６】
2010168768.tif 000008